(57)【要約】【課題】小型化を図った端子台を提供する。【解決手段】端子台１は、複数の座面１３を設けた端子台本体２と、電子機器に接続される複数の第１接続端子に重ねられて、前記各第１接続端子と電気的に接続する第２接続端子８が前記座面１３に重ねられた状態で、これら前記第１接続端子及び前記第２接続端子８を貫通して、前記座面１３に前記第１接続端子及び前記第２接続端子８を固定する複数の固定部材３と、を備えている。前記座面１３が、複数の前記第１接続端子及び前記第２接続端子８が並ぶ方向Ｗに対して傾斜している。【選択図】図２
2011081943.tif 000002
【特許請求の範囲】
【請求項１】
複数の座面を設けた端子台本体と、
電子機器に接続される複数の第１接続端子に重ねられて、前記各第１接続端子と電気的に接続する第２接続端子が前記座面に重ねられた状態で、これら前記第１接続端子及び前記第２接続端子を貫通して、前記座面に前記第１接続端子及び前記第２接続端子を固定する複数の固定部材と、を備えた端子台において、
前記座面が、複数の前記第１接続端子及び前記第２接続端子が並ぶ方向に対して傾斜していることを特徴とする端子台。
【請求項２】
前記複数の座面が、互いに平行に設けられていることを特徴とする請求項１に記載の端子台。
【請求項３】
互いに隣り合う前記複数の座面の、前記複数の第１接続端子及び第２接続端子が並ぶ方向の縁同士が、前記複数の第１接続端子及び第２接続端子が並ぶ方向に沿って並ぶ位置に設けられていることを特徴とする請求項１または請求項２に記載の端子台。
【発明の詳細な説明】
【技術分野】
【０００１】
本発明は、例えば、電子機器に接続されたＬＡ端子等の端末部品同士を電気的に接続して、これら端末部品を固定する端子台に関するものである。
【背景技術】
【０００２】
自動車としての電気自動車、ハイブリット車及び燃料電池車には、種々の電子機器が搭載される。また、前述した電気自動車、ハイブリット車及び燃料電池車には、電子機器として走行用の動力を発生するモータと、該モータに電力を供給するためのバッテリと、バッテリの電力をモータに供給する際に直流電力から交流電力に変換するインバータと、を備えている。前述したモータ、バッテリ及びインバータは、電線と該電線の端末に取り付けられた、例えば、端末部品としてのＬＡ端子などによって互いに接続される。そして、モータ、バッテリ及びインバータなどに接続された複数の電線は、各電線の端末に取り付けられたＬＡ端子同士が互いに重ねられて、これらＬＡ端子同士が電気的に接続された状態で、端子台に固定されている（例えば特許文献１を参照）。
【０００３】
図５は、特許文献１に示された従来の端子台を示す斜視図である。図５に示された端子台１０１は、合成樹脂で構成され、周知の射出成型により方体状に形成されている。また、前記端子台１０１の上面には、複数の座面１１３が前記端子台１０１の長手方向（即ち矢印Ｗ）に沿って並べられている。即ち、前記座面１１３は、該座面１１３に重ねられるＬＡ端子（図示しない）が並ぶ方向（即ち矢印Ｗ）に沿って設けられている。また、各座面１１３の中央には、ナット１０４が、埋設されていている。この座面１１３に、電子機器に接続された端末部品としての２つのＬＡ端子が互いに重ねられた状態で、これらＬＡ端子を通したボルト（図示しない）をナット１０４にねじ込むことで、これらＬＡ端子を端子台１０１に固定して、互いに重ねられたＬＡ端子同士を電気的に接続している。
【先行技術文献】
【特許文献】
【０００４】
【特許文献１】特開２００４−３２７１８５号公報
【発明の概要】
【発明が解決しようとする課題】
【０００５】
しかしながら、上述した従来の端子台１０１においては、以下に示す問題があった。即ち、従来の端子台１０１においては、座面１１３が前記端子台１０１の長手方向（即ち、矢印Ｗ）に沿って複数並べられている。即ち、前記座面１１３は、該座面１１３に重ねられる複数のＬＡ端子が並ぶ方向（即ち、矢印Ｗ）に沿って複数設けられている。そのために、複数のＬＡ端子が並ぶ方向（即ち、矢印Ｗ）の長さが長くなるので、車両側のスペース要件等により、前記車両に従来の端子台１０１を設置することができなくなってしまうという問題があった。
【０００６】
そこで、本発明は、小型化を図った端子台を提供することを目的としている。
【課題を解決するための手段】
【０００７】
上記課題を解決するためになされた請求項１に記載された発明は、複数の座面を設けた端子台本体と、電子機器に接続される複数の第１接続端子に重ねられて、前記各第１接続端子と電気的に接続する第２接続端子が前記座面に重ねられた状態で、これら前記第１接続端子及び前記第２接続端子を貫通して、前記座面に前記第１接続端子及び前記第２接続端子を固定する複数の固定部材と、を備えた端子台において、前記座面が、複数の前記第１接続端子及び前記第２接続端子が並ぶ方向に対して傾斜していることを特徴とする端子台である。
【０００８】
請求項２に記載された発明は、請求項１に記載された発明において、前記複数の座面が、互いに平行に設けられていることを特徴とするものである。
【０００９】
請求項３に記載された発明は、請求項１または請求項２に記載された発明において、互いに隣り合う前記複数の座面の、前記複数の第１接続端子及び第２接続端子が並ぶ方向の縁同士が、前記複数の第１接続端子及び第２接続端子が並ぶ方向に沿って並ぶ位置に設けられていることを特徴とするものである。
【発明の効果】
【００１０】
以上説明したように、請求項１に記載の発明によれば、端子台本体に設けられた複数の座面が、複数の前記第１接続端子及び前記第２接続端子が並ぶ方向に対して傾斜して設けられているので、複数の座面が、複数の前記第１接続端子及び前記第２接続端子が並ぶ方向に沿って設けられている場合と比較すると、複数の第１接続端子及び第２接続端子が並ぶ方向に小型化した端子台を提供することができる。
【００１１】
請求項２に記載の発明によれば、前記複数の座面が、互いに平行に設けられているので、美観が損なわれることを防止した端子台を提供することができる。
【００１２】
請求項３に記載の発明によれば、互いに隣り合う前記複数の座面の、前記複数の第１接続端子及び第２接続端子が並ぶ方向の縁同士が、前記複数の第１接続端子及び第２接続端子が並ぶ方向に沿って並ぶ位置に設けられているので、前記第１接続端子及び前記第２接続端子が並ぶ方向に対して直交する方向の長さを一定に保つこととなり、よって、前記第１接続端子及び前記第２接続端子が並ぶ方向に対して直交する方向に小型化した端子台を提供することができる。
【図面の簡単な説明】
【００１３】
【図１】本発明の一実施の形態にかかる端子台を示す斜視図である。
【図２】図１に示された端子台に、第２接続端子のみを取り付けた状態を示す断面図である。
【図３】図１に示された端子台をケースに収容した状態を示す斜視図である。
【図４】図２に示された端子台をケースに収容した状態を示す斜視図である。
【図５】従来の端子台を示す斜視図である。
【発明を実施するための形態】
【００１４】
以下、本発明の一実施の形態にかかる端子台を、図１乃至図４を参照しながら説明する。図１などに示された端子台１は、複数の座面１３を設けた端子台本体２と、前記座面１３に取り付けられる複数の固定部材としてのボルト３と、ナット４と、を備えている。また、前記端子台１は、例えば、電子機器としてのモータや、インバータに接続されるバスバ（図示しない）の端部に設けられた複数の第１接続端子、及び、各第１接続端子に重ねられる第２接続端子８に、前記ボルト３の軸部１６を通して、これら第１接続端子及び第２接続端子８を通した軸部１６を設けたボルト３が、第１接続端子及び第２接続端子８を前記座面１３に重ねた状態で、第１接続端子及び第２接続端子８を前記端子台本体２に固定するとともに、これら第１接続端子及び第２接続端子８を電気的に接続している。また、前記端子台１は、後述するケース９に収容されて、前記電子機器の筐体に取り付けられている。また、図１、図２中の矢印Ｗは、複数の第１接続端子及び第２接続端子８が並ぶ方向、及び、端子台本体２の長手方向を示し、矢印Ｔは、第１接続端子及び第２接続端子８が並ぶ方向に対して直交する方向、及び、端子台本体２の高さ方向を示している。
【００１５】
上記端子台本体２は、合成樹脂で構成され、周知の射出成型により方体状に形成されている。前記端子台本体２には、複数の座面１３が設けられている。前記座面１３は、前記ケース９の底壁（図示しない）に対向する位置に設けられ、かつ、平坦に形成されている。また、図１、図２に示すように、前記複数の座面１３は、複数の第１接続端子及び第２接続端子８が並ぶ方向、即ち、矢印Ｗに対して傾斜するように設けられおり、複数の座面１３同士が、互いに平行に設けられ、かつ、互いに隣り合う前記複数の座面１３の、前記複数の第１接続端子及び第２接続端子８が並ぶ方向、即ち、矢印Ｗの縁１３ａ、１３ｂ同士が、前記複数の第１接続端子及び第２接続端子８が並ぶ方向、即ち、矢印Ｗに沿って並ぶ位置に設けられている。また、図１、図２に示すように、前記座面１３の中央には、ボルト３がねじ込まれる取付穴１４が凹に設けられており、該取付穴１４と前記ナット４の貫通孔４ａとが連通する格好で、前記ナット４が埋設されている。
【００１６】
上記固定部材としてのボルト３は、図１に示すように、円柱状の外周面に雄ねじが形成された軸部１６と、前記軸部１６の一端部に設けられ、かつ、平面視が六角形に形成された頭部１５と、前記軸部１６を通す孔部（図示しない）を有する環状に形成されて、前記頭部１５に重ねられる座金１７と、を備えている。また、図２に示すように、前記複数のボルト３は、各ナット４にねじ込んで、前記座面１３に取り付けられると、互いに平行に設けられている。
【００１７】
上記ナット４は、図１、図２に示すように、外形が四角形に形成され、かつ、前記ボルト３の軸部１６が通される貫通孔４ａを有する環状に形成されている。また、前記貫通孔４ａの内周面には、ボルト３の軸部１６に形成された雄ねじに螺合される雌ねじが形成されている。また、ナット４の貫通孔４ａが設けられた表面は、前記座面１３から露出しており、前記ナット４は、前記表面と、座面１３とが互いに面一になるように、該座面１３に埋設されている。
【００１８】
上記バスバは、導電性の金属板にプレス加工等が施されて得られるものである。また、前記バスバの一端には、第１接続端子が設けられている。この第１接続端子は、前記ボルト３の軸部１６を通す貫通孔を有する環状に形成されており、前記座面１３に重ねられる。また、一端に第１接続端子が設けられたバスバの他端は、前記電子機器に接続されている。
【００１９】
上記コネクタ５は、図４に示すように、導電性の金属で構成された端子金具６と、端子金具６に接続された電線（図示しない）と、これら端子金具６と電線（図示しない）との接続部分を覆い、かつ、合成樹脂で構成されたハウジング７と、を備えている。前記端子金具６（即ち、コネクタ５）の一端には、第２接続端子８が設けられている。この第２接続端子８は、前記ボルト３の軸部１６を通す貫通孔８ａ（図２に示す）を有する環状に形成されており、前記第１接続端子及び座面１３に重ねられる。また、一端に第２接続端子８が設けられた端子金具６の他端には、前記電線の端末が接続されている。なお、前記「接続部分」とは、端子金具６の一端と、前記一端に接続された電線の端末と、を意味する。
【００２０】
上記ケース９は、図３に示すように、周知の射出成形によって、合成樹脂で構成されており、底壁と、前記底壁の縁から立設する複数の周壁１１と、によって有底筒状に形成されている。また、前記底壁の一方の面は、前記電子機器の筐体に重ねられ、他方の面には、端子台１が搭載される。また、複数の周壁１１のうち一つの周壁１１には、前記コネクタ５を支持するコネクタ間口１２が設けられている。このコネクタ間口１２は、前記周壁１１を貫通しており、平面視が楕円形に形成されている。また、コネクタ間口１２は、ケース９に端子台１が収容されると、前記座面１３と相対する位置に設けられている。即ち、前記コネクタ間口１２は、複数の第１接続端子及び第２接続端子８が並ぶ方向、即ち、矢印Ｗに対して傾斜する方向に沿って設けられている。
【００２１】
続いて、上記構成の端子台１の組み立て方法について説明する。まず、ケース９に設けられたコネクタ間口１２と、前記座面１３とが相対する位置に設けられるように端子台本体２を配置して、前記端子台本体２をケース９の底壁に固定する。次に、電子機器に接続されたバスバの一端に設けられた第１接続端子と、コネクタ５の一端に設けられ、かつ、コネクタ間口１２を通された第２接続端子８とを重ねて、これら第１接続端子及び第２接続端子８の貫通孔８ａ内にボルト３の軸部１６を通して、該軸部１６を設けたボルト３に、ナット４を螺合することで、これら第１接続端子及び第２接続端子８が、前記端子台本体２に固定される。同時に、これら第１接続端子及び第２接続端子８が、電気的に接続されて、端子台１が組み立てられる。
【００２２】
上述した本発明によれば、端子台本体２に設けられた複数の座面１３が、複数の前記第１接続端子及び前記第２接続端子８が並ぶ方向（即ち、矢印Ｗ）に対して傾斜して設けられているので、複数の座面１３が、複数の前記第１接続端子及び前記第２接続端子８が並ぶ方向（即ち、矢印Ｗ）に沿って設けられている場合と比較すると、複数の第１接続端子及び第２接続端子８が並ぶ方向（即ち、矢印Ｗ）に小型化した端子台１を提供することができる。
【００２３】
また、前記複数の座面１３が、互いに平行に設けられているので、美観が損なわれることを防止した端子台１を提供することができる。
【００２４】
また、互いに隣り合う前記複数の座面１３の、前記複数の第１接続端子及び第２接続端子８が並ぶ方向の縁１３ａ、１３ｂ同士が、前記複数の第１接続端子及び第２接続端子８が並ぶ方向（即ち、矢印Ｗ）に沿って並ぶ位置に設けられているので、前記第１接続端子及び前記第２接続端子８が並ぶ方向（即ち、矢印Ｗ）に対して直交する方向（即ち、矢印Ｔ）の長さを一定に保つこととなり、よって、前記第１接続端子及び前記第２接続端子８が並ぶ方向（即ち、矢印Ｗ）に対して直交する方向（即ち、矢印Ｔ）に小型化した端子台を提供することができる。
【００２５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２６】
１  端子台
２  端子台本体
３  ボルト（固定部材）
８  第２接続端子
１３  座面
矢印Ｗ  第１接続端子及び第２接続端子が並ぶ方向
【図１】
2011081943.tif 000003
【図２】
2011081943.tif 000004
【図３】
2011081943.tif 000005
【図４】
2011081943.tif 000006
【図５】
2011081943.tif 000007